(57)【特許請求の範囲】
【請求項１】
風力発電装置の少なくとも一つのロータブレードを備えるロータを吊り上げる吊りユニットであって、
前記風力発電装置が備えるロータ上のロータブレード付け根の近傍領域に巻かれる少なくとも一つのスリング（１００）と、
少なくとも一つの横竿（９００）と、
少なくとも一つの第一および第二のストラットないしスリング部分（３００，４００）と、
少なくとも一つの第一および第二のヒンジユニット（２００，２１０）と、
少なくとも一つの第二のスリング（５００）と、
を備え、
少なくとも一つの前記第一および第二のストラットないしスリング部分（３００，４００）は、少なくとも一つの前記第一および第二のヒンジユニット（２００，２１０）と、少なくとも一つの前記横竿（９００）との間に延在し、
少なくとも一つの前記第二のスリング（５００）は、第一および第二のスリング部分（５１０，５２０）およびストラット（５３０）を有し、前記第一および第二のスリング部分（５１０，５２０）の第一端は、前記第一および第二のヒンジユニット（２００，２１０）に取り付けられ、前記第二のスリング（５００）は、ロータブレードスタブの周りに配置されるよう構成される、
ことを特徴とする吊りユニット。
【請求項２】
前記横竿（９００）の長さは、前記第一および第二のヒンジユニット（２００，２１０）が前記風力発電装置の前記ロータブレード又は前記ロータに接触してそれらに損傷を与えないように設定されることを特徴とする請求項１記載の吊りユニット。
【請求項３】
前記第一および第二のヒンジユニット（２００，２１０）は、第一端部、第二端部および第三端部（２１０，２２０，２３０）を有し、前記第二のスリング（５００）は前記第三端部に結合され、前記第一のスリング（１００）は前記第二端部に結合され、前記第一および第二のスリング部分（３００，４００）は第一端部に結合され、前記第三端部は、前記第二端部に回転自在に結合ないし枢支されている、
ことを特徴とする請求項１又は２記載の吊りユニット。
【発明の詳細な説明】
【技術分野】
【０００１】
本発明は、風力発電装置のロータ吊り上げ用の吊りユニットに関する。吊りユニットは、ロータをそれに取り付けられたロータブレードと共に、ゴンドラ（ナセル）に取り付けるために用いられる。
【発明の概要】
【発明が解決しようとする課題】
【０００２】
本発明は、風力発電装置のロータ吊り上げ用の吊りユニットに関する。吊りユニットは、ロータをそれに取り付けられたロータブレードと共に、ゴンドラ（ナセル）に取り付けるために用いられる。
特許文献１には、「風車の少なくとも二個の部品の取付け方法およびハンドリング装置の使用（Method for mounting of at least two components of a wind turbine and use of a handling device）」が開示されている。
特許文献２には、「風車回転翼の吊下げ装置、風車回転翼の取付け方法、および風力発電装置の建設方法」が開示されている。
【先行技術文献】
【特許文献】
【特許文献１】ＥＰ２００３３３３Ａ１号公報
【特許文献２】ＵＳ２０１０／０２８１５２Ａ１号公報
【課題を解決するための手段】
【課題を解決するための手段】
【０００３】
その目的は、請求項１に係る吊りユニットによって達成される。
すなわち、本発明の一視点において、風力発電装置の少なくとも一つのロータブレードを備えるロータを吊り上げる吊りユニットが提供される。
このユニットは、前記風力発電装置が備えるロータ上のロータブレード付け根の近傍領域に巻かれる少なくとも一つのスリングと、少なくとも一つの横竿と、少なくとも一つの第一および第二のストラットないしスリング部分と、少なくとも一つの第一および第二のヒンジユニットと、少なくとも一つの第二のスリングと、を備える。
そして、少なくとも一つの前記第一および第二のストラットないしスリング部分は、少なくとも一つの前記第一および第二のヒンジユニットと、少なくとも一つの前記横竿との間に延在し、少なくとも一つの前記第二のスリングは、第一および第二のスリング部分およびストラットを有し、前記第一および第二のスリング部分の第一端は、前記第一および第二のヒンジユニットに取り付けられ、前記第二のスリングは、ロータブレードスタブの周りに配置されるよう構成される。
なお、特許請求の範囲に付記した図面参照符号は、専ら理解を助けるためのものであり、図示の態様に限定することを意図するものではない。
【０００４】
かくして、風力発電装置のロータ吊り上げ用の吊りユニットが提供される。吊りユニットは、前記風力発電装置が備えるロータ上のロータブレード付け根の近傍領域、すなわち、ロータブレードの付け根に近い領域に巻かれる少なくとも一つのスリングと、少なくとも一つの横竿と、少なくとも一つの第一および第二のストラットないし（巻回し（ロープないしワイヤ））スリング部分と、少なくとも一つの第一および第二のヒンジユニットと、少なくとも一つの第二のスリングと、を備える。少なくとも一つの前記第一および第二のストラットないしスリング部分は、少なくとも一つの前記第一および第二のヒンジユニットと、少なくとも一つの前記横竿との間に延在する。吊りユニットは、さらに、少なくとも一つの第二のスリングを有し、少なくとも一つの前記第二のスリングは、第一および第二のスリング部分およびストラットを有する。前記第一および第二のスリング部分の第一端は、前記第一および第二のヒンジユニットに取り付けられる。前記第二のスリングは、ロータブレードスタブの周りに適合するよう形成される。
【０００５】
本発明の他の一視点において、前記横竿の長さは、前記第一および第二のヒンジユニットが前記風力発電装置の前記ロータブレード又は前記ロータに接触しないように設定される。
【０００６】
本発明のさらに他の一視点において、前記第一および第二のヒンジユニットは、第一端部、第二端部および第三端部を有する。前記第二のスリングは、前記第三端部に結合される。前記第一のスリングは、前記第二端部に結合され、前記第一および第二のスリング部分は、第三端部に結合される。前記第三端部は、前記第二端部に回転自在に結合ないし枢支される。
【発明の効果】
【０００７】
本発明の吊りユニットによれば、例えば、風力発電装置のロータブレードを含むスピナ又はロータを吊り上げることができる。
【０００８】
吊りユニットは、好ましくは、ロータブレード周りに延在することができる二つのスリングを有する。これらのスリングは、中間部材又は中間要素又はヒンジユニットを介して、クレーンのフックに接続されることができる。これによって、例えば、ロータに取り付けられた、例えば、三枚のロータブレードを含むロータ又はスピナを建て起こすことができる。ロータブレードの付け根の領域でロータブレードの周りに設けられた二つのスリングは、全体構造を吊り上げるとき、負荷を担う機能を有する。吊りユニットは、ロータは三枚の少なくとも部分的に取り付けられたロータブレードを含むロータを、地面から吊り起こし、風力発電装置のタワー上のゴンドラまでそれらを運搬する機能を有する。
【０００９】
本発明のさらなる構成は、従属項の主題である。
【００１０】
以下、本発明の一実施形態および利益を、図面を参照しながら、より詳細に説明する。
【図面の簡単な説明】
【００１１】
【図１】図１は、本発明の一実施形態に係る吊りユニットの模式図を示している。
【図２】図２Ａ〜２Ｃは、第一の実施形態に係るヒンジユニットを種々の視点からみた模式図である。
【図３】図３は、本発明の一実施形態に係る吊りユニットの模式図であって、ロータブレードと風力発電装置のロータ（ゴンドラハウジング）を示している。
【発明を実施するための形態】
【００１２】
本発明の一実施形態の概要について、図面を参照して説明する。なお、特許請求の範囲およびこの概要等に付記した図面参照符号は、理解を助けるための一例として各要素に便宜上付記したものであり、本発明を図示の態様に限定することを意図するものではない。
図１は、本発明の一実施形態に係る吊りユニットの模式図を示している。吊りユニットは、第一端および第二端１１０，１２０を備える第一のスリングないしループ（巻回しロープないしワイヤ）１００と、第一端および第二端３１０，３２０；４１０，４２０をそれぞれ備える第一および第二のストラットないしスリング部分３００，４００と、第一および第二のヒンジユニット２００，２１０と、第一および第二のストラット３００，４００の第二端の間に接続された接続バーないし横竿（吊り天秤竿）９００と、を有している。
【００１３】
第一のスリング１００の第一端１１０は第一のヒンジ２００に接続され、第一のスリング１００の第二端１２０は、第二のヒンジ２１０に接続されている。第一および第二のストラット３００，４００の第一端３１０，４１０はそれぞれ、第一および第二のヒンジ２００，２１０に接続されている。吊りユニットは、さらに、第一および第二のループないしスリング部５１０，５２０を備える第二のスリング５００を有している。第一および第二のスリング部５１０，５２０は、第一および第二端５１１，５２１と第二端５１２，５２２をそれぞれ有している。第一および第二のスリング５１０，５２０の第二端５１２，５２２は共に、第三のストラット５３０に接続されている。
【００１４】
第一および第二のヒンジ２００，２１０は、第一のスリング１００の端を受ける第一端部と、第一および第二のストラット３００，４００の第一端を受ける第二端部と、第一および第二のスリング部５１０，５２０の第一端５１１，５２１を受ける第三端部と、を有している。この場合、（ヒンジの）第三端部は、第一ないし第二端部（好ましくは第二端部）に対して回転自在ないし軸回りに回転自在である。
【００１５】
第一および第二のストラット（Strebe）３００，４００は、スリング部分の形態で構成することもできる。
【００１６】
第一のスリング１００は、風力発電装置のロータブレードの側部又は端部にロータブレードの付け根を指向するよう配置される。第一のスリング１００は、この構成によって、ロータブレードの付け根の領域の周りに密着して適合することができる。
【００１７】
横竿９００の長さは、好ましくは、第一および第二のヒンジユニット２００，２１０がロータブレードないしスピナに接触してそれらに損傷を与えないように設定される。
【００１８】
第三のストラット５３０は、好ましくは、風力発電装置のロータブレードのロータブレードスタブにおいて、ロータブレード付け根の反対側の端部に配置される（換言すると、ロータブレードは、マルチパート構造とすることができ、ロータブレードスタブは、ロータブレード装置のロータと共に、吊りユニットを用いて、ポッドに取り付けられる。）。これによって、スリング部５１０，５２０は、第一と第二のヒンジユニット２００，２１０の間を延在し、第三のストラット５３０はロータブレードに接触しない。
【００１９】
図２Ａ〜２Ｃは、第一の実施形態に係るヒンジユニットを種々の視点（角度）からみた図面である。
【００２０】
図２Ａは、第一の実施形態に係るヒンジユニットの側面模式図である。ヒンジユニットは、第一端部２１０、第二端部２２０および第三端部２３０を有している。この場合、第一端部２１０は第二端部２２０に接続され、第三端部２３０は第二端部２２０に接続されている。この配置において、第三端部２３０は、第二端部に対して回転自在ないし旋回自在に接続されている。第一端部２１０に第一のバー（枢軸）２１１が設けられ、第二端部２２０に第二のバー（枢軸）２２１が設けられ、第三端部２３０に第三のバー（枢軸）２３１が設けられる。
【００２１】
図２Ｂは、図２ＡのＡ−Ａ断面を示す。図２Ａは、第二のバー２２１および第三のバー２３１を示す。
【００２２】
図２Ｃは、第一の実施形態に係るヒンジユニットの斜視図である。ヒンジユニットは、第一端部２１０、第二端部２２０および第三端部２３０を有している。この場合、第三端部２３０は、第二端部に対して回転自在ないし旋回自在に接続されている。第三端部２３０は第三のバー２３１と共に、第一および第二のバー（ストラット）３００，４００の第一端を受ける。
【００２３】
第一端部２１０は、第一のスリング１００の第一端又は第二端１１０，１２０を受け、第二端部２２０は第二のバー２２１と共に、第一又は第二のスリング５１０，５２０を受ける。
【００２４】
図３は、本発明の一実施形態に係る吊りユニットの模式図であって、ロータブレードと風力発電装置のゴンドラハウジングを示している。風力発電装置は、ロータブレードないしロータブレードスタブ（付け根）１０と、ゴンドラないしゴンドラハウジング２０を有している。ロータブレードの一側で、ロータブレードはポッド２０に接続されている。第一のスリング１００は、ロータブレードスタブの周りに巻回されて延在している。第二のスリング５００は、ロータブレードスタブの周りを囲んで延在している。これによって、第三のストラット５３０は、ロータブレードの端部（スタブ端）に（接して）現れている。図３中、第一のストラットないしスリング部３００は、（点線で示すように）、ロータブレードの裏側を通過し、第二のストラットないしスリング部４００は、ロータブレードの表側を通過している。このようにして、本発明の一実施形態に係る吊りユニットは、風力発電装置のロータブレードを吊り上げることができる。
【００２５】
好ましくは、第一の実施形態に係る二個の吊りユニットが用いられ、ゴンドラおよびそれに取り付けられたロータブレードを吊り上げて、風力発電装置が組み立てられる。例えば、クレーンフックを部分８００に掛けて、二個の吊りユニットを吊り上げることにより、風力発電装置のロータを吊り上げることができる。
【００２６】
本発明による吊りユニットは、風力発電装置のロータを横倒し状態（ロータが地面に横倒しされている）から吊り上げることができる点で有利である。ヒンジユニット２００，２１０の外形は、吊りユニット又は第一のスリングが、ロータブレード上をスリップやスクレープしないように設計することができる。このようにして、ゴンドラハウジングないしスピナに取り付けられた回転自在なロータブレード１０を完成することができる。
以上、本発明の一実施形態を説明したが、本発明は、上記した一実施形態に限定されるものではなく、本発明の基本的技術的思想を逸脱しない範囲で、更なる変形・置換・調整を加えることができる。
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００２７】
１０  ロータブレード，ロータブレードスタブ
２０  ロータ，ゴンドラ，スピナ，ゴンドラハウジング（ナセル）、ポッド
１１０，１２０  第一端，第二端
１００  第一のスリングないしループ
２００，２１０  第一および第二のヒンジユニット
２１０，２２０，２３０  第一端部，第二端部，第三端部
２１１，２２１，２３１  第一のバー，第二のバー，第三のバー（枢軸）
３００，４００  第一および第二のストラット（支柱）ないしスリング部分
３１０，３２０  第一端部，第二端部
４１０，４２０  第一端部，第二端部
５００  第二のスリング
５１０，５２０  第一および第二のスリング部分
５１１，５２１  第一端部
５１２，５２２  第二端部
５３０  第三のストラット（支柱）
８００  部分
９００  横竿（吊り天秤竿，接続バー）
【図１】
0005412003.tif 000002
【図２Ａ】
0005412003.tif 000003
【図２Ｂ】
0005412003.tif 000004
【図２Ｃ】
0005412003.tif 000005
【図３】
0005412003.tif 000006